(57)【要約】【課題】  運転費用が低廉でかつ海水清浄化機能の高い閉鎖性水域の水交換システム及び水交換方法を提供する。【解決手段】  導水トンネル１とトンネル開閉機構２と第１水門装置１０と第１湾外水位センサと湾内水位センサと第２湾外水位センサを備え、第１湾外海域Ｚ１１の水位が上昇している場合にはトンネル開閉機構２を開放させるとともに第１水門装置１０の第１ゲート部材１１を降下させておく第１の制御を行い、第１の制御の後の適宜の時点にトンネル開閉機構２を閉塞させる第２の制御を行い、第２の制御の後に第２湾外海域Ｚ１２の水位が湾内海域Ｚ２０の水位よりも低くなった場合には第１水門装置１０の第１ゲート部材１１を上昇させる第３の制御を行う。【選択図】    図１
2006274702.tif 000002
【特許請求の範囲】
【請求項１】
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐利用型湾内水域水交換システムであって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の箇所に湾内側開口を有する導水トンネルと、
前記導水トンネル内を水が移動可能な状態と、前記導水トンネル内を水が移動不可能な状態に切り換え可能なトンネル開閉機構と、
前記湾外水域のうち前記第１湾外水域とは異なる他の一部でかつ前記湾口水域を含む水域である第２湾外水域と前記湾内水域との境界箇所に設置され、第１ゲート部材の昇降により前記第２湾外水域と前記湾内水域の間で水が移動可能な状態と、前記第２湾外水域と前記湾内水域の間で水が移動不可能な状態に切り換え可能な第１水門装置と、
前記第１湾外水域の水位を計測する第１湾外水位計測手段と、
前記湾内水域の水位を計測する湾内水位計測手段と、
前記第２湾外水域の水位を計測する第２湾外水位計測手段と、
コンピュータからなる第１制御手段を備え、
前記第１制御手段は、
前記第１湾外水位計測手段から送られてくる前記第１湾外水域の水位が上げ潮により上昇している場合には、前記第１湾外水域の水を前記導水トンネル内を通って前記湾内水域へ流入させるように前記トンネル開閉機構を開放させるとともに、前記第２湾外水域と前記湾内水域の相互間での水移動を遮断させるように前記第１水門装置の第１ゲート部材を降下させておく第１の制御を行い、
前記第１の制御の後の適宜の時点に、前記トンネル開閉機構を閉塞させる第２の制御を行い、
前記第２の制御の後に前記第２湾外水位計測手段から送られてくる前記第２湾外水域の水位が下げ潮により前記湾内水域の水位よりも低くなった場合には、前記湾内水域の水が前記第２湾外水域へ排出されるように前記第１水門装置の第１ゲート部材を上昇させる第３の制御を行うこと
を特徴とする潮汐利用型湾内水域水交換システム。
【請求項２】
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐利用型湾内水域水交換システムであって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の一部である第１湾内水域の箇所に湾内側開口を有する導水路と、
前記湾外水域のうち前記第１湾外水域とは異なる他の一部でかつ前記湾口水域を含む水域である第２湾外水域と、前記第１湾内水域に隣接する前記湾内水域である第２湾内水域との境界箇所に設置され、第１ゲート部材の昇降により前記第２湾外水域と前記第２湾内水域の間で水が移動可能な状態と、前記第２湾外水域と前記第２湾内水域の間で水が移動不可能な状態に切り換え可能な第１水門装置と、
前記第１湾内水域と前記第２湾内水域との境界箇所に設置され、第２ゲート部材の昇降により前記第１湾内水域と前記第２湾内水域の間で水が移動可能な状態と、前記第１湾内水域と前記第２湾内水域の間で水が移動不可能な状態に切り換え可能な第２水門装置と、
前記第１湾外水域の水位を計測する第１湾外水位計測手段と、
前記第１湾内水域の水位を計測する第１湾内水位計測手段と、
前記第２湾内水域の水位を計測する第２湾内水位計測手段と、
前記第２湾外水域の水位を計測する第２湾外水位計測手段と、
コンピュータからなる第２制御手段を備え、
前記第２制御手段は、
前記第１湾外水位計測手段から送られてくる前記第１湾外水域の水位が上げ潮により上昇している場合には、前記第１湾外水域の水を前記第１湾内水域及び前記第２湾内水域へ流入させるように前記第２水門装置の第２ゲート部材を上昇させておくとともに、前記第２湾内水域と前記第２湾外水域の相互間での水移動を遮断させるように前記第１水門装置の第１ゲート部材を降下させておく第４の制御を行い、
前記第４の制御の後の適宜の時点に、前記第２水門装置の第２ゲート部材を降下させる第５の制御を行い、
前記第５の制御の後に前記第２湾外水位計測手段から送られてくる前記第２湾外水域の水位が下げ潮により前記第２湾内水域の水位よりも低くなった場合には、前記第２湾内水域の水が前記第２湾外水域へ排出されるように前記第１水門装置の第１ゲート部材を上昇させる第６の制御を行うこと
を特徴とする潮汐利用型湾内水域水交換システム。
【請求項３】
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐を利用した湾内水域の水交換方法であって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の箇所に湾内側開口を有する導水トンネルと、
前記導水トンネル内を水が移動可能な状態と、前記導水トンネル内を水が移動不可能な状態に切り換え可能なトンネル開閉機構と、
前記湾外水域のうち前記第１湾外水域とは異なる他の一部でかつ前記湾口水域を含む水域である第２湾外水域と前記湾内水域との境界箇所に設置され、第１ゲート部材の昇降により前記第２湾外水域と前記湾内水域の間で水が移動可能な状態と、前記第２湾外水域と前記湾内水域の間で水が移動不可能な状態に切り換え可能な第１水門装置と、
前記第１湾外水域の水位を計測する第１湾外水位計測手段と、
前記湾内水域の水位を計測する湾内水位計測手段と、
前記第２湾外水域の水位を計測する第２湾外水位計測手段を用い、
前記第１湾外水位計測手段から送られてくる前記第１湾外水域の水位が上げ潮により上昇している場合には、前記第１湾外水域の水を前記導水トンネル内を通って前記湾内水域へ流入させるように前記トンネル開閉機構を開放させるとともに、前記第２湾外水域と前記湾内水域の相互間での水移動を遮断させるように前記第１水門装置の第１ゲート部材を降下させておく第１の制御を行い、
前記第１の制御の後の適宜の時点に、前記トンネル開閉機構を閉塞させる第２の制御を行い、
前記第２の制御の後に前記第２湾外水位計測手段から送られてくる前記第２湾外水域の水位が下げ潮により前記湾内水域の水位よりも低くなった場合には、前記湾内水域の水が前記第２湾外水域へ排出されるように前記第１水門装置の第１ゲート部材を上昇させる第３の制御を行うこと
を特徴とする潮汐を利用した湾内水域の水交換方法。
【請求項４】
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐を利用した湾内水域の水交換方法であって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の一部である第１湾内水域の箇所に湾内側開口を有する導水路と、
前記湾外水域のうち前記第１湾外水域とは異なる他の一部でかつ前記湾口水域を含む水域である第２湾外水域と、前記第１湾内水域に隣接する前記湾内水域である第２湾内水域との境界箇所に設置され、第１ゲート部材の昇降により前記第２湾外水域と前記第２湾内水域の間で水が移動可能な状態と、前記第２湾外水域と前記第２湾内水域の間で水が移動不可能な状態に切り換え可能な第１水門装置と、
前記第１湾内水域と前記第２湾内水域との境界箇所に設置され、第２ゲート部材の昇降により前記第１湾内水域と前記第２湾内水域の間で水が移動可能な状態と、前記第１湾内水域と前記第２湾内水域の間で水が移動不可能な状態に切り換え可能な第２水門装置と、
前記第１湾外水域の水位を計測する第１湾外水位計測手段と、
前記第１湾内水域の水位を計測する第１湾内水位計測手段と、
前記第２湾内水域の水位を計測する第２湾内水位計測手段と、
前記第２湾外水域の水位を計測する第２湾外水位計測手段を用い、
前記第１湾外水位計測手段から送られてくる前記第１湾外水域の水位が上げ潮により上昇している場合には、前記第１湾外水域の水を前記第１湾内水域及び前記第２湾内水域へ流入させるように前記第２水門装置の第２ゲート部材を上昇させておくとともに、前記第２湾内水域と前記第２湾外水域の相互間での水移動を遮断させるように前記第１水門装置の第１ゲート部材を降下させておく第４の制御を行い、
前記第４の制御の後の適宜の時点に、前記第２水門装置の第２ゲート部材を降下させる第５の制御を行い、
前記第５の制御の後に前記第２湾外水位計測手段から送られてくる前記第２湾外水域の水位が下げ潮により前記第２湾内水域の水位よりも低くなった場合には、前記第２湾内水域の水が前記第２湾外水域へ排出されるように前記第１水門装置の第１ゲート部材を上昇させる第６の制御を行うこと
を特徴とする潮汐を利用した湾内水域の水交換方法。
【請求項５】
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐利用型湾内水域水交換システムであって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の箇所に湾内側開口を有する導水トンネルと、
前記導水トンネル内を水が移動可能な状態と、前記導水トンネル内を水が移動不可能な状態に切り換え可能なトンネル開閉機構と、
前記湾外水域のうち前記第１湾外水域とは異なる他の一部でかつ前記湾口水域を含む水域である第２湾外水域と前記湾内水域との境界箇所に設置され、第１ゲート部材の昇降により前記第２湾外水域と前記湾内水域の間で水が移動可能な状態と、前記第２湾外水域と前記湾内水域の間で水が移動不可能な状態に切り換え可能な第１水門装置と、
前記第１湾外水域の水位を計測する第１湾外水位計測手段と、
前記湾内水域の水位を計測する湾内水位計測手段と、
前記第２湾外水域の水位を計測する第２湾外水位計測手段と、
コンピュータからなる第３制御手段を備え、
前記第３制御手段は、
前記第２湾外水位計測手段から送られてくる前記第２湾外水域の水位が上げ潮により上昇している場合には、前記第２湾外水域の水を前記第１水門装置から前記湾内水域へ流入させるように前記第１水門装置の第１ゲート部材を上昇させるとともに前記トンネル開閉機構を閉塞させる第７の制御を行い、
前記第７の制御の後の適宜の時点に、前記第１水門装置の第１ゲート部材を降下させる第８の制御を行い、
前記第８の制御の後に前記第１湾外水位計測手段から送られてくる第１湾外水域の水位が下げ潮により前記湾内水域の水位よりも低くなった場合には、前記湾内水域の水が前記第１湾外水域へ排出されるように前記トンネル開閉機構を開放させる第９の制御を行うこと
を特徴とする潮汐利用型湾内水域水交換システム。
【請求項６】
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐利用型湾内水域水交換システムであって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の一部である第１湾内水域の箇所に湾内側開口を有する導水路と、
前記湾外水域のうち前記第１湾外水域とは異なる他の一部でかつ前記湾口水域を含む水域である第２湾外水域と、前記第１湾内水域に隣接する前記湾内水域である第２湾内水域との境界箇所に設置され、第１ゲート部材の昇降により前記第２湾外水域と前記第２湾内水域の間で水が移動可能な状態と、前記第２湾外水域と前記第２湾内水域の間で水が移動不可能な状態に切り換え可能な第１水門装置と、
前記第１湾内水域と前記第２湾内水域との境界箇所に設置され、第２ゲート部材の昇降により前記第１湾内水域と前記第２湾内水域の間で水が移動可能な状態と、前記第１湾内水域と前記第２湾内水域の間で水が移動不可能な状態に切り換え可能な第２水門装置と、
前記第１湾外水域の水位を計測する第１湾外水位計測手段と、
前記第１湾内水域の水位を計測する第１湾内水位計測手段と、
前記第２湾内水域の水位を計測する第２湾内水位計測手段と、
前記第２湾外水域の水位を計測する第２湾外水位計測手段と、
コンピュータからなる第４制御手段を備え、
前記第４制御手段は、
前記第２湾外水位計測手段から送られてくる第２湾外水域の水位が上げ潮により上昇している場合には、前記第２湾外水域の水を前記第１水門装置から前記第２湾内水域へ流入させるように前記第１水門装置の第１ゲート部材を上昇させるとともに前記第２水門装置の第２ゲート部材を降下させる第１０の制御を行い、
前記第１０の制御の後の適宜の時点に、前記第１水門装置の第１ゲート部材を降下させる第１１の制御を行い、
前記 第１１の制御の後に前記第１湾外水位計測手段から送られてくる前記第１湾外水域の水位が下げ潮により前記第２湾内水域の水位よりも低くなった場合には、前記第２湾内水域の水が前記第１湾外水域へ排出されるように前記第２水門装置の第２ゲート部材を上昇させる第１２の制御を行うこと
を特徴とする潮汐利用型湾内水域水交換システム。
【請求項７】
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐を利用した湾内水域の水交換方法であって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の箇所に湾内側開口を有する導水トンネルと、
前記導水トンネル内を水が移動可能な状態と、前記導水トンネル内を水が移動不可能な状態に切り換え可能なトンネル開閉機構と、
前記湾外水域のうち前記第１湾外水域とは異なる他の一部でかつ前記湾口水域を含む水域である第２湾外水域と前記湾内水域との境界箇所に設置され、第１ゲート部材の昇降により前記第２湾外水域と前記湾内水域の間で水が移動可能な状態と、前記第２湾外水域と前記湾内水域の間で水が移動不可能な状態に切り換え可能な第１水門装置と、
前記第１湾外水域の水位を計測する第１湾外水位計測手段と、
前記湾内水域の水位を計測する湾内水位計測手段と、
前記第２湾外水域の水位を計測する第２湾外水位計測手段と、
コンピュータからなる第３制御手段を用い、
前記第３制御手段は、
前記第２湾外水位計測手段から送られてくる前記第２湾外水域の水位が上げ潮により上昇している場合には、前記第２湾外水域の水を前記第１水門装置から前記湾内水域へ流入させるように前記第１水門装置の第１ゲート部材を上昇させるとともに前記トンネル開閉機構を閉塞させる第７の制御を行い、
前記第７の制御の後の適宜の時点に、前記第１水門装置の第１ゲート部材を降下させる第８の制御を行い、
前記第８の制御の後に前記第１湾外水位計測手段から送られてくる第１湾外水域の水位が下げ潮により前記湾内水域の水位よりも低くなった場合には、前記湾内水域の水が前記第１湾外水域へ排出されるように前記トンネル開閉機構を開放させる第９の制御を行うこと
を特徴とする潮汐を利用した湾内水域の水交換方法。
【請求項８】
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐を利用した湾内水域の水交換方法であって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の一部である第１湾内水域の箇所に湾内側開口を有する導水路と、
前記湾外水域のうち前記第１湾外水域とは異なる他の一部でかつ前記湾口水域を含む水域である第２湾外水域と、前記第１湾内水域に隣接する前記湾内水域である第２湾内水域との境界箇所に設置され、第１ゲート部材の昇降により前記第２湾外水域と前記第２湾内水域の間で水が移動可能な状態と、前記第２湾外水域と前記第２湾内水域の間で水が移動不可能な状態に切り換え可能な第１水門装置と、
前記第１湾内水域と前記第２湾内水域との境界箇所に設置され、第２ゲート部材の昇降により前記第１湾内水域と前記第２湾内水域の間で水が移動可能な状態と、前記第１湾内水域と前記第２湾内水域の間で水が移動不可能な状態に切り換え可能な第２水門装置と、
前記第１湾外水域の水位を計測する第１湾外水位計測手段と、
前記第１湾内水域の水位を計測する第１湾内水位計測手段と、
前記第２湾内水域の水位を計測する第２湾内水位計測手段と、
前記第２湾外水域の水位を計測する第２湾外水位計測手段と、
コンピュータからなる第４制御手段を用い、
前記第４制御手段は、
前記第２湾外水位計測手段から送られてくる第２湾外水域の水位が上げ潮により上昇している場合には、前記第２湾外水域の水を前記第１水門装置から前記第２湾内水域へ流入させるように前記第１水門装置の第１ゲート部材を上昇させるとともに前記第２水門装置の第２ゲート部材を降下させる第１０の制御を行い、
前記第１０の制御の後の適宜の時点に、前記第１水門装置の第１ゲート部材を降下させる第１１の制御を行い、
前記 第１１の制御の後に前記第１湾外水位計測手段から送られてくる前記第１湾外水域の水位が下げ潮により前記第２湾内水域の水位よりも低くなった場合には、前記第２湾内水域の水が前記第１湾外水域へ排出されるように前記第２水門装置の第２ゲート部材を上昇させる第１２の制御を行うこと
を特徴とする潮汐を利用した湾内水域の水交換方法。
【発明の詳細な説明】
【技術分野】
【０００１】
本発明は、地球の潮汐作用を利用して湾外水域の水を湾内水域へ導入するとともに湾内水域の水を湾外水域へ排出する潮汐利用型湾内水交換システム、及び潮汐を利用した湾内水域の水交換方法に関するものである。
【背景技術】
【０００２】
従来、海域が陸域に入り込んだ箇所である湾部の内部の海域（以下、「湾内海域」という。）では、閉鎖性が高いため、湾部の外部の海域（以下、「湾外海域」という。）との間での海水の相互移動に乏しく、河川の流入等によって持ち込まれる家庭排水等が湾外海域へ排出されにくいため、湾内海域の海水はよどみ、富栄養化、すなわち海水中の窒素（Ｎ）、リン（Ｐ）の濃度が増大する過程が進む。富栄養化が進行すると、ＣＯＤ（化学的酸素消費量）の数値が増大する。ＣＯＤは、海水中の酸化されやすい物質（主として有機物）によって消費される酸素量を表す指標である。ＣＯＤの数値は、水中の有機物量の目安となり、ＣＯＤ値が大きいほど、海水中に多量の有機物が存在することを示している。我が国の各地の湾部では、富栄養化の進行に伴い、ＣＯＤ値が増大し、アオサなどの有害藻類の異常な大量発生・繁茂が続き、その除去・回収が課題となっている。
【０００３】
このため、湾内海域のような閉鎖性水域の海水を湾外海域へ排出する海水交換方法として、種々のものが提案されてきた。その一つとしては、ポンプにより湾内海域の海水を湾外海域へ排出し、ポンプにより湾外海域の海水を湾内海域に導入する方法がある。しかし、この方法では、ポンプを稼働させるための動力源へのエネルギー（電力、燃料等）のランニング・コスト（運転費用）がかさむため、経済的ではない、という問題があった。
【０００４】
他の海水交換方法として、波の力を利用して湾外海域の海水を湾内海域に導入する方法が公知である（特許文献１を参照）。しかし、この方法では、例えば、防波堤等の湾内側と外海側で海水を交換するものであり、防波堤等の近傍でかつ近接する箇所において、外海側から湾内側への海水取り込みと、湾内海水の外海側への排出を行う方式が多いため、すでに排出した湾内海水が、新たに取り込まれる湾外海水に混入するおそれがある、という問題があった。
【特許文献１】特開平１１−２２９３４８号公報
【発明の開示】
【発明が解決しようとする課題】
【０００５】
本発明は上記の問題を解決するためになされたものであり、本発明の解決しようとする課題は、運転費用が低廉でかつ海水清浄化機能の高い閉鎖性水域の水交換システム及び水交換方法を提供することにある。
【課題を解決するための手段】
【０００６】
上記課題を解決するため、本発明の請求項１に係る潮汐利用型湾内水交換システムは、
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐利用型湾内水交換システムであって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の箇所に湾内側開口を有する導水トンネルと、
前記導水トンネル内を水が移動可能な状態と、前記導水トンネル内を水が移動不可能な状態に切り換え可能なトンネル開閉機構と、
前記湾外水域のうち前記第１湾外水域とは異なる他の一部でかつ前記湾口水域を含む水域である第２湾外水域と前記湾内水域との境界箇所に設置され、第１ゲート部材の昇降により前記第２湾外水域と前記湾内水域の間で水が移動可能な状態と、前記第２湾外水域と前記湾内水域の間で水が移動不可能な状態に切り換え可能な第１水門装置と、
前記第１湾外水域の水位を計測する第１湾外水位計測手段と、
前記湾内水域の水位を計測する湾内水位計測手段と、
前記第２湾外水域の水位を計測する第２湾外水位計測手段と、
コンピュータからなる第１制御手段を備え、
前記第１制御手段は、
前記第１湾外水位計測手段から送られてくる前記第１湾外水域の水位が上げ潮により上昇している場合には、前記第１湾外水域の水を前記導水トンネル内を通って前記湾内水域へ流入させるように前記トンネル開閉機構を開放させるとともに、前記第２湾外水域と前記湾内水域の相互間での水移動を遮断させるように前記第１水門装置の第１ゲート部材を降下させておく第１の制御を行い、
前記第１の制御の後の適宜の時点に、前記トンネル開閉機構を閉塞させる第２の制御を行い、
前記第２の制御の後に前記第２湾外水位計測手段から送られてくる前記第２湾外水域の水位が下げ潮により前記湾内水域の水位よりも低くなった場合には、前記湾内水域の水が前記第２湾外水域へ排出されるように前記第１水門装置の第１ゲート部材を上昇させる第３の制御を行うこと
を特徴とする。
【０００７】
また、本発明の請求項２に係る潮汐利用型湾内水交換システムは、
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐利用型湾内水交換システムであって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の一部である第１湾内水域の箇所に湾内側開口を有する導水路と、
前記湾外水域のうち前記第１湾外水域とは異なる他の一部でかつ前記湾口水域を含む水域である第２湾外水域と、前記第１湾内水域に隣接する前記湾内水域である第２湾内水域との境界箇所に設置され、第１ゲート部材の昇降により前記第２湾外水域と前記第２湾内水域の間で水が移動可能な状態と、前記第２湾外水域と前記第２湾内水域の間で水が移動不可能な状態に切り換え可能な第１水門装置と、
前記第１湾内水域と前記第２湾内水域との境界箇所に設置され、第２ゲート部材の昇降により前記第１湾内水域と前記第２湾内水域の間で水が移動可能な状態と、前記第１湾内水域と前記第２湾内水域の間で水が移動不可能な状態に切り換え可能な第２水門装置と、
前記第１湾外水域の水位を計測する第１湾外水位計測手段と、
前記第１湾内水域の水位を計測する第１湾内水位計測手段と、
前記第２湾内水域の水位を計測する第２湾内水位計測手段と、
前記第２湾外水域の水位を計測する第２湾外水位計測手段と、
コンピュータからなる第２制御手段を備え、
前記第２制御手段は、
前記第１湾外水位計測手段から送られてくる前記第１湾外水域の水位が上げ潮により上昇している場合には、前記第１湾外水域の水を前記第１湾内水域及び前記第２湾内水域へ流入させるように前記第２水門装置の第２ゲート部材を上昇させておくとともに、前記第２湾内水域と前記第２湾外水域の相互間での水移動を遮断させるように前記第１水門装置の第１ゲート部材を降下させておく第４の制御を行い、
前記第４の制御の後の適宜の時点に、前記第２水門装置の第２ゲート部材を降下させる第５の制御を行い、
前記第５の制御の後に前記第２湾外水位計測手段から送られてくる前記第２湾外水域の水位が下げ潮により前記第２湾内水域の水位よりも低くなった場合には、前記第２湾内水域の水が前記第２湾外水域へ排出されるように前記第１水門装置の第１ゲート部材を上昇させる第６の制御を行うこと
を特徴とする。
【０００８】
また、本発明の請求項３に係る潮汐を利用した湾内水域の水交換方法は、
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐を利用した湾内水域の水交換方法であって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の箇所に湾内側開口を有する導水トンネルと、
前記導水トンネル内を水が移動可能な状態と、前記導水トンネル内を水が移動不可能な状態に切り換え可能なトンネル開閉機構と、
前記湾外水域のうち前記第１湾外水域とは異なる他の一部でかつ前記湾口水域を含む水域である第２湾外水域と前記湾内水域との境界箇所に設置され、第１ゲート部材の昇降により前記第２湾外水域と前記湾内水域の間で水が移動可能な状態と、前記第２湾外水域と前記湾内水域の間で水が移動不可能な状態に切り換え可能な第１水門装置と、
前記第１湾外水域の水位を計測する第１湾外水位計測手段と、
前記湾内水域の水位を計測する湾内水位計測手段と、
前記第２湾外水域の水位を計測する第２湾外水位計測手段を用い、
前記第１湾外水位計測手段から送られてくる前記第１湾外水域の水位が上げ潮により上昇している場合には、前記第１湾外水域の水を前記導水トンネル内を通って前記湾内水域へ流入させるように前記トンネル開閉機構を開放させるとともに、前記第２湾外水域と前記湾内水域の相互間での水移動を遮断させるように前記第１水門装置の第１ゲート部材を降下させておく第１の制御を行い、
前記第１の制御の後の適宜の時点に、前記トンネル開閉機構を閉塞させる第２の制御を行い、
前記第２の制御の後に前記第２湾外水位計測手段から送られてくる前記第２湾外水域の水位が下げ潮により前記湾内水域の水位よりも低くなった場合には、前記湾内水域の水が前記第２湾外水域へ排出されるように前記第１水門装置の第１ゲート部材を上昇させる第３の制御を行うこと
を特徴とする。
【０００９】
また、本発明の請求項４に係る潮汐を利用した湾内水域の水交換方法は、
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐を利用した湾内水域の水交換方法であって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の箇所に湾内側開口を有する導水路と、
前記湾外水域のうち前記第１湾外水域とは異なる他の一部でかつ前記湾口水域を含む水域である第２湾外水域と、前記第１湾内水域に隣接する前記湾内水域である第２湾内水域との境界箇所に設置され、第１ゲート部材の昇降により前記第２湾外水域と前記第２湾内水域の間で水が移動可能な状態と、前記第２湾外水域と前記第２湾内水域の間で水が移動不可能な状態に切り換え可能な第１水門装置と、
前記第１湾内水域と前記第２湾内水域との境界箇所に設置され、第２ゲート部材の昇降により前記第１湾内水域と前記第２湾内水域の間で水が移動可能な状態と、前記第１湾内水域と前記第２湾内水域の間で水が移動不可能な状態に切り換え可能な第２水門装置と、
前記第１湾外水域の水位を計測する第１湾外水位計測手段と、
前記第１湾内水域の水位を計測する第１湾内水位計測手段と、
前記第２湾内水域の水位を計測する第２湾内水位計測手段と、
前記第２湾外水域の水位を計測する第２湾外水位計測手段を用い、
前記第１湾外水位計測手段から送られてくる前記第１湾外水域の水位が上げ潮により上昇している場合には、前記第１湾外水域の水を前記第１湾内水域及び前記第２湾内水域へ流入させるように前記第２水門装置の第２ゲート部材を上昇させておくとともに、前記第２湾内水域と前記第２湾外水域の相互間での水移動を遮断させるように前記第１水門装置の第１ゲート部材を降下させておく第４の制御を行い、
前記第４の制御の後の適宜の時点に、前記第２水門装置の第２ゲート部材を降下させる第５の制御を行い、
前記第５の制御の後に前記第２湾外水位計測手段から送られてくる前記第２湾外水域の水位が下げ潮により前記第２湾内水域の水位よりも低くなった場合には、前記第２湾内水域の水が前記第２湾外水域へ排出されるように前記第１水門装置の第１ゲート部材を上昇させる第６の制御を行うこと
を特徴とする。
【００１０】
また、本発明の請求項５に係る潮汐利用型湾内水交換システムは、
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐利用型湾内水交換システムであって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の箇所に湾内側開口を有する導水トンネルと、
前記導水トンネル内を水が移動可能な状態と、前記導水トンネル内を水が移動不可能な状態に切り換え可能なトンネル開閉機構と、
前記湾外水域のうち前記第１湾外水域とは異なる他の一部でかつ前記湾口水域を含む水域である第２湾外水域と前記湾内水域との境界箇所に設置され、第１ゲート部材の昇降により前記第２湾外水域と前記湾内水域の間で水が移動可能な状態と、前記第２湾外水域と前記湾内水域の間で水が移動不可能な状態に切り換え可能な第１水門装置と、
前記第１湾外水域の水位を計測する第１湾外水位計測手段と、
前記湾内水域の水位を計測する湾内水位計測手段と、
前記第２湾外水域の水位を計測する第２湾外水位計測手段と、
コンピュータからなる第３制御手段を備え、
前記第３制御手段は、
前記第２湾外水位計測手段から送られてくる前記第２湾外水域の水位が上げ潮により上昇している場合には、前記第２湾外水域の水を前記第１水門装置から前記湾内水域へ流入させるように前記第１水門装置の第１ゲート部材を上昇させるとともに前記トンネル開閉機構を閉塞させる第７の制御を行い、
前記第７の制御の後の適宜の時点に、前記第１水門装置の第１ゲート部材を降下させる第８の制御を行い、
前記第８の制御の後に前記第１湾外水位計測手段から送られてくる第１湾外水域の水位が下げ潮により前記湾内水域の水位よりも低くなった場合には、前記湾内水域の水が前記第１湾外水域へ排出されるように前記トンネル開閉機構を開放させる第９の制御を行うこと
を特徴とする。
【００１１】
また、本発明の請求項６に係る潮汐利用型湾内水交換システムは、
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐利用型湾内水交換システムであって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の一部である第１湾内水域の箇所に湾内側開口を有する導水路と、
前記湾外水域のうち前記第１湾外水域とは異なる他の一部でかつ前記湾口水域を含む水域である第２湾外水域と、前記第１湾内水域に隣接する前記湾内水域である第２湾内水域との境界箇所に設置され、第１ゲート部材の昇降により前記第２湾外水域と前記第２湾内水域の間で水が移動可能な状態と、前記第２湾外水域と前記第２湾内水域の間で水が移動不可能な状態に切り換え可能な第１水門装置と、
前記第１湾内水域と前記第２湾内水域との境界箇所に設置され、第２ゲート部材の昇降により前記第１湾内水域と前記第２湾内水域の間で水が移動可能な状態と、前記第１湾内水域と前記第２湾内水域の間で水が移動不可能な状態に切り換え可能な第２水門装置と、
前記第１湾外水域の水位を計測する第１湾外水位計測手段と、
前記第１湾内水域の水位を計測する第１湾内水位計測手段と、
前記第２湾内水域の水位を計測する第２湾内水位計測手段と、
前記第２湾外水域の水位を計測する第２湾外水位計測手段と、
コンピュータからなる第４制御手段を備え、
前記第４制御手段は、
前記第２湾外水位計測手段から送られてくる第２湾外水域の水位が上げ潮により上昇している場合には、前記第２湾外水域の水を前記第１水門装置から前記第２湾内水域へ流入させるように前記第１水門装置の第１ゲート部材を上昇させるとともに前記第２水門装置の第２ゲート部材を降下させる第１０の制御を行い、
前記第１０の制御の後の適宜の時点に、前記第１水門装置の第１ゲート部材を降下させる第１１の制御を行い、
前記 第１１の制御の後に前記第１湾外水位計測手段から送られてくる前記第１湾外水域の水位が下げ潮により前記第２湾内水域の水位よりも低くなった場合には、前記第２湾内水域の水が前記第１湾外水域へ排出されるように前記第２水門装置の第２ゲート部材を上昇させる第１２の制御を行うこと
を特徴とする。
【００１２】
また、本発明の請求項７に係る潮汐を利用した湾内水域の水交換方法は、
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐を利用した湾内水域の水交換方法であって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の箇所に湾内側開口を有する導水トンネルと、
前記導水トンネル内を水が移動可能な状態と、前記導水トンネル内を水が移動不可能な状態に切り換え可能なトンネル開閉機構と、
前記湾外水域のうち前記第１湾外水域とは異なる他の一部でかつ前記湾口水域を含む水域である第２湾外水域と前記湾内水域との境界箇所に設置され、第１ゲート部材の昇降により前記第２湾外水域と前記湾内水域の間で水が移動可能な状態と、前記第２湾外水域と前記湾内水域の間で水が移動不可能な状態に切り換え可能な第１水門装置と、
前記第１湾外水域の水位を計測する第１湾外水位計測手段と、
前記湾内水域の水位を計測する湾内水位計測手段と、
前記第２湾外水域の水位を計測する第２湾外水位計測手段と、
コンピュータからなる第３制御手段を用い、
前記第３制御手段は、
前記第２湾外水位計測手段から送られてくる前記第２湾外水域の水位が上げ潮により上昇している場合には、前記第２湾外水域の水を前記第１水門装置から前記湾内水域へ流入させるように前記第１水門装置の第１ゲート部材を上昇させるとともに前記トンネル開閉機構を閉塞させる第７の制御を行い、
前記第７の制御の後の適宜の時点に、前記第１水門装置の第１ゲート部材を降下させる第８の制御を行い、
前記第８の制御の後に前記第１湾外水位計測手段から送られてくる第１湾外水域の水位が下げ潮により前記湾内水域の水位よりも低くなった場合には、前記湾内水域の水が前記第１湾外水域へ排出されるように前記トンネル開閉機構を開放させる第９の制御を行うこと
を特徴とする。
【００１３】
また、本発明の請求項８に係る潮汐を利用した湾内水域の水交換方法は、
水域が陸域に入り込んだ箇所である湾部の外部の水域である湾外水域の水を地球の潮汐作用を利用して前記湾部の内部の水域である湾内水域へ導入するとともに前記湾内水域の水を前記地球の潮汐作用を利用して前記湾外水域へ排出する潮汐を利用した湾内水域の水交換方法であって、
前記湾外水域の一部でかつ湾口水域を含まない水域である第１湾外水域と前記湾内水域に挟まれるように存在する陸域である挟在陸部に隣接する前記第１湾外水域の箇所に外海側開口を有するとともに前記湾内水域の一部である第１湾内水域の箇所に湾内側開口を有する導水路と、
前記湾外水域のうち前記第１湾外水域とは異なる他の一部でかつ前記湾口水域を含む水域である第２湾外水域と、前記第１湾内水域に隣接する前記湾内水域である第２湾内水域との境界箇所に設置され、第１ゲート部材の昇降により前記第２湾外水域と前記第２湾内水域の間で水が移動可能な状態と、前記第２湾外水域と前記第２湾内水域の間で水が移動不可能な状態に切り換え可能な第１水門装置と、
前記第１湾内水域と前記第２湾内水域との境界箇所に設置され、第２ゲート部材の昇降により前記第１湾内水域と前記第２湾内水域の間で水が移動可能な状態と、前記第１湾内水域と前記第２湾内水域の間で水が移動不可能な状態に切り換え可能な第２水門装置と、
前記第１湾外水域の水位を計測する第１湾外水位計測手段と、
前記第１湾内水域の水位を計測する第１湾内水位計測手段と、
前記第２湾内水域の水位を計測する第２湾内水位計測手段と、
前記第２湾外水域の水位を計測する第２湾外水位計測手段と、
コンピュータからなる第４制御手段を用い、
前記第４制御手段は、
前記第２湾外水位計測手段から送られてくる第２湾外水域の水位が上げ潮により上昇している場合には、前記第２湾外水域の水を前記第１水門装置から前記第２湾内水域へ流入させるように前記第１水門装置の第１ゲート部材を上昇させるとともに前記第２水門装置の第２ゲート部材を降下させる第１０の制御を行い、
前記第１０の制御の後の適宜の時点に、前記第１水門装置の第１ゲート部材を降下させる第１１の制御を行い、
前記 第１１の制御の後に前記第１湾外水位計測手段から送られてくる前記第１湾外水域の水位が下げ潮により前記第２湾内水域の水位よりも低くなった場合には、前記第２湾内水域の水が前記第１湾外水域へ排出されるように前記第２水門装置の第２ゲート部材を上昇させる第１２の制御を行うこと
を特徴とする。
【発明の効果】
【００１４】
本発明に係る潮汐利用型湾内水交換システム及び潮汐を利用した湾内水域の水交換方法においては、第１湾外水域と湾内水域とを連絡する導水トンネルと、導水トンネルを開閉するトンネル開閉機構と、第２湾外水域と湾内水域との境界箇所に設置される第１水門装置と、第１湾外水域の水位を計測する第１湾外水位計測手段と、湾内水域の水位を計測する湾内水位計測手段と、第２湾外水域の水位を計測する第２湾外水位計測手段を備え、第１湾外水域の水位が上げ潮により上昇している場合にはトンネル開閉機構を開放させるとともに第１水門装置の第１ゲート部材を降下させておく第１の制御を行い、第１の制御の後の適宜の時点にトンネル開閉機構を閉塞させる第２の制御を行い、第２の制御の後に第２湾外水域の水位が下げ潮により湾内水域の水位よりも低くなった場合には第１水門装置の第１ゲート部材を上昇させる第３の制御を行うか、あるいは、第１湾外水域と湾内水域とを連絡する導水路と、第２湾外水域と湾内水域との境界箇所に設置される第１水門装置と、第１湾内水域と第２湾内水域との境界箇所に設置される第２水門装置と、第１湾外水域の水位を計測する第１湾外水位計測手段と、第１湾内水域の水位を計測する第１湾内水位計測手段と、第２湾内水域の水位を計測する第２湾内水位計測手段と、第２湾外水域の水位を計測する第２湾外水位計測手段を備え、第１湾外水域の水位が上げ潮により上昇している場合には第２水門装置の第２ゲート部材を上昇させておくとともに第１水門装置の第１ゲート部材を降下させておく第４の制御を行い、第４の制御の後の適宜の時点に第２水門装置の第２ゲート部材を降下させる第５の制御を行い、第５の制御の後に第２湾外水域の水位が下げ潮により第２湾内水域の水位よりも低くなった場合には第１水門装置の第１ゲート部材を上昇させる第６の制御を行う等の制御を実行するようにした。
【００１５】
このため、本発明に係る潮汐利用型湾内水交換システム及び潮汐を利用した湾内水域の水交換方法における各構成要素を稼働させるためのエネルギーは、従来のような水を汲み上げて排出するポンプへのエネルギーに比べれば小さく、ランニング・コスト（運転費用）を低減することができ、経済的に有利である、という利点を有している。また、第１湾外水域から第２湾内水域へ取り込まれた水は、一方通行で第２湾外水域に排出されるため、従来のポンプによる排出方式よりも湾内水をより清浄化することができる、という利点も有している。
【発明を実施するための最良の形態】
【００１６】
以下に説明する実施例は、第１湾外水域と湾内水域とを連絡する導水トンネルと、導水トンネルを開閉するトンネル開閉機構と、第２湾外水域と湾内水域との境界箇所に設置される第１水門装置と、第１湾外水域の水位を計測する第１湾外水位計測手段と、湾内水域の水位を計測する湾内水位計測手段と、第２湾外水域の水位を計測する第２湾外水位計測手段を備え、第１湾外水域の水位が上げ潮により上昇している場合にはトンネル開閉機構を開放させるとともに第１水門装置の第１ゲート部材を降下させておく第１の制御を行い、第１の制御の後の適宜の時点にトンネル開閉機構を閉塞させる第２の制御を行い、第２の制御の後に第２湾外水域の水位が下げ潮により湾内水域の水位よりも低くなった場合には第１水門装置の第１ゲート部材を上昇させる第３の制御を行うか、あるいは、第１湾外水域と湾内水域とを連絡する導水路と、第２湾外水域と湾内水域との境界箇所に設置される第１水門装置と、第１湾内水域と第２湾内水域との境界箇所に設置される第２水門装置と、第１湾外水域の水位を計測する第１湾外水位計測手段と、第１湾内水域の水位を計測する第１湾内水位計測手段と、第２湾内水域の水位を計測する第２湾内水位計測手段と、第２湾外水域の水位を計測する第２湾外水位計測手段を備え、第１湾外水域の水位が上げ潮により上昇している場合には第２水門装置の第２ゲート部材を上昇させておくとともに第１水門装置の第１ゲート部材を降下させておく第４の制御を行い、第４の制御の後の適宜の時点に第２水門装置の第２ゲート部材を降下させる第５の制御を行い、第５の制御の後に第２湾外水域の水位が下げ潮により第２湾内水域の水位よりも低くなった場合には第１水門装置の第１ゲート部材を上昇させる第６の制御を行う等の制御を実行するようにしたものである。
【００１７】
このため、各構成要素を稼働させるためのエネルギーは、従来のような水を汲み上げて排出するポンプへのエネルギーに比べれば小さく、ランニング・コスト（運転費用）を低減することができ、また、第１湾外水域から第２湾内水域へ取り込まれた水は、一方通行で第２湾外水域に排出されるため、従来のポンプによる排出方式よりも湾内水をより清浄化することができるので、本発明を実現するための構成として最良の形態である。
【実施例１】
【００１８】
以下、本発明の第１実施例である潮汐利用型湾内海域海水交換システムについて、図面等を参照しながら詳細に説明を行う。
【００１９】
図１は、本発明の第１実施例である潮汐利用型湾内海域海水交換システムの全体配置と構成を示す図であり、図１（Ａ）は上方から見た平面配置構成を示し、図１（Ｂ）は、図１（Ａ）におけるＡ−Ａ方向に見た断面を示している。また、図２は、本発明の第１実施例である潮汐利用型湾内海域海水交換システムの制御に関するシステム構成を示すブロック図である。また、図３は、本発明の第１実施例である潮汐利用型湾内海域海水交換システムにおけるトンネル開閉機構の一例の構成を示す断面図である。また、図４は、本発明の第１実施例である潮汐利用型湾内海域海水交換システムを用いた海水交換方法の手順を説明する断面図である。
【００２０】
図１及び図２に示すように、本発明の第１実施例である潮汐利用型湾内海域海水交換システム１０１は、図１（Ａ）の平面図のような略「Ｃ」字状の湾部に設置されるもので、導水トンネル１と、トンネル開閉機構２と、第１水門装置１０と、第１制御部３Ａと、第１湾外水位センサ４と、第２湾外水位センサ５と、湾内水位センサ６を備えて構成されている。ここに、潮汐利用型湾内海域海水交換システム１０１は、特許請求の範囲における潮汐利用型湾内水交換システムに相当し、各湾外海域は、特許請求の範囲における各湾外水域に相当し、湾内海域は、特許請求の範囲における湾内水域に相当し、第１制御部３Ａは、特許請求の範囲における第１制御手段に相当し、第１湾外水位センサ４は特許請求の範囲における第１湾外水位計測手段に相当し、第２湾外水位センサ５は特許請求の範囲における第２湾外水位計測手段に相当し、湾内水位センサ６は特許請求の範囲における湾内水位計測手段に相当している。
【００２１】
導水トンネル１は、湾外海域の一部でかつ湾口海域Ｚ３０（図１（Ａ）参照）を含まない海域Ｚ１１（以下、「第１湾外海域」という。図１（Ａ）及び図１（Ｂ）を参照。）と、湾内海域Ｚ２０（図１（Ａ）及び図１（Ｂ）を参照。）に挟まれるように存在する略「Ｃ」字状の陸域Ｐ（以下、「挟在陸部」という。図１（Ａ）及び図１（Ｂ）を参照。）に隣接する第１湾外海域Ｚ１１のうち、最低干潮水位Ｌ０（図１（Ｂ）参照）よりも低い高さ位置（以下、「第１高さ位置」という。）の箇所、例えば海底位置Ｂ１１に外海側開口１ｂを有している。また、導水トンネル１は、湾内海域Ｚ２０における最低干潮水位Ｌ０よりも低い高さ位置（以下、「第２高さ位置」という。）の箇所、例えば海底位置Ｂ２０に湾内側開口１ｃを有している。また、導水トンネル１は、両開口１ｂ、１ｃの間がトンネルの本抗部１ａとなっており、全体として、最低干潮水位Ｌ０よりも低くなるようにして、挟在陸部Ｐの下方を貫通するように構築されている。
【００２２】
導水トンネル１は、後述するように、第１湾外海域Ｚ１１の海水を、導水トンネル１内を通して湾内海域Ｚ２０へ流入させるため、断面寸法もある程度以上の値が必要であり、例えば直径１０メートル程度、取り込む海水量がさらに多ければ、１０メートル以上の大きさとなる。
【００２３】
また、トンネル開閉機構２は、導水トンネル１内を海水が移動可能な状態（以下、「トンネル開放状態」という。）と、導水トンネル１内を海水が移動不可能な状態（以下、「トンネル閉塞状態」という。）に切り換え可能な構成となっている。このトンネル開閉機構２は、種々の構成が可能である。例えば、導水トンネル１の断面全体を閉塞可能な扉を１個設け、この扉を公知の機械的機構により直線的に移動させ、又は回動させて、トンネル開放状態とトンネル閉塞状態を切り換えるようにしてもよい。
【００２４】
しかし、導水トンネル１の断面が大きいと、１個の扉を開閉するのは、作用する水圧等が大きく、機構が巨大化するとともに、製造及び設置の費用が大きくなる。このため、図３に示すように、例えば、導水トンネル１の湾内側開口１ｃを閉塞し、ここに複数の小径パイプ２ａを設け、各小径パイプ２ａに開閉弁２ｂを取り付け、開閉弁２ｂを弁駆動部２ｃによって駆動し、各小径パイプ２ａを開閉し、湾内側開口１ｃ内の海水を各小径パイプ２ａの入口側開口２ｅから出口側開口２ｆへ排出させ、湾内海域Ｚ２０へ流入させるようにしてもよい。弁駆動部２ｃとしては、電動モータ、油圧シリンダ・ピストン機構などの公知の駆動源が使用可能である。トンネル開閉機構２は、一般に、トンネル開閉駆動源（図示せず）と、トンネル開閉部材（図示せず）によって構成される。図３の構成例においては、弁駆動部２ｃがトンネル開閉駆動源に相当し、開閉弁２ｂがトンネル開閉部材に相当している。
【００２５】
また、第１水門装置１０は、湾外海域のうち第１湾外海域Ｚ１１とは異なる他の一部でかつ湾口海域Ｚ３０を含む海域Ｚ１２（以下、「第２湾外海域」という。）と、湾内海域Ｚ２０との境界箇所に設置される水門装置である。第１水門装置１０は、鋼材又はコンクリート等からなる略板状の部材である第１ゲート部材１１と、電動モータ又は油圧シリンダ・ピストン機構などの公知の駆動源（図示せず。以下、「第１水門駆動源」という。）と、この第１水門駆動源により駆動され第１ゲート部材１１に取り付けられて支持するチェーン又はアーム若しくはリンク機構等の公知の作用機構（図示せず）と、第１ゲート部材１１の略水平方向の両端部を溝等によって保持して鉛直上下方向に確実に昇降させる２つのガイド部１２（図１（Ａ）参照）を有している。
【００２６】
このような構成により、第１水門装置１０は、第１ゲート部材１１を昇降させることにより、第２湾外海域Ｚ１２と湾内海域Ｚ２０の間で海水が移動可能な状態（以下、「第１水門開放状態」という。）と、第２湾外海域Ｚ１２と湾内海域Ｚ２０の間で海水が移動不可能な状態（以下、「第１水門閉塞状態」という。）に切り換えることができる。
【００２７】
第１制御部３Ａは、コンピュータ（電子計算機）、例えば、パーソナル・コンピュータ、ワーク・ステーション、マイクロコンピュータ等により構成されている。第１制御部３Ａを構成するコンピュータは、その内部構成は図示はしていないが、入出力インタフェイスと、ＣＰＵ（Ｃｅｎｔｒａｌ  Ｐｒｏｃｅｓｓｉｎｇ  Ｕｎｉｔ：中央演算処理装置）と、ＲＯＭ（Ｒｅａｄ  Ｏｎｌｙ  Ｍｅｍｏｒｙ：読出し専用メモリ）と、ＲＡＭ（Ｒａｎｄｏｍ  Ａｃｃｅｓｓ  Ｍｅｍｏｒｙ：随時書込み読出しメモリ）等を有している。
【００２８】
コンピュータである第１制御部３Ａの上記した各構成要素のうち、入出力インタフェイスは、ＣＰＵ外部からＣＰＵへ送られる信号等が入力される部分であり、かつ、ＣＰＵからの信号を外部へ出力するための部分である。また、ＣＰＵは、各種演算やプログラム実行等の処理を行い、各部に制御信号を送って制御する部分である。また、ＲＯＭは、ＣＰＵを制御するための制御プログラムや、ＣＰＵが用いる各種データ等を格納している部分である。ＲＯＭとしては、半導体メモリ、ハードディスク装置などが用いられる。ＲＡＭは、ＣＰＵにより演算された途中のデータ等を一時記憶する部分である。ＲＡＭとしては、半導体メモリ、ハードディスク装置などが用いられる。
【００２９】
また、第１制御部３Ａには、操作部（図示せず）が設けられるようにしてもよい。操作部は、各種スイッチ、又は操作ボタン、又は操作ダイヤル、又はキーボード、又はポインティング・デバイス等、若しくはこれらの適宜の組合せを有しており、ＣＰＵへの操作指令やデータの入力等を行う部分である。ポインティング・デバイスとは、表示部（図示せず。後述する。）の画面上に、矢印状の図形（ポインタ）が表示され、操作によってポインタを移動することができ、かつ画面の任意の位置をクリック等によって選択可能な装置であり、マウスのほか、パッド状のもの、回転可能なボール状のものなどがある。操作部に入力された操作指令やデータは、入出力インタフェイスを経て、コントローラ１内のＣＰＵへ送られる。
【００３０】
また、第１制御部３Ａには、表示部（図示せず）が設けられるようにしてもよい。表示部は、ブラウン管（ＣＲＴ）や液晶表示器又はプラズマディスプレイ等からなり、ＣＰＵから入出力インタフェイスを経て出力された画像や文字等のデータが、画像や文字等として画面に表示される。なお、出力されたデータは、さらにプリンタ（図示せず）により紙に印刷されて出力されることも可能となっている。
【００３１】
図２に示すように、第１制御部３Ａには、上記したトンネル開閉機構２と、第１水門装置１０が電気的に接続されており、第１制御部３ＡのＣＰＵ（図示せず）からの制御信号（図示せず）によって制御される。これらの制御の内容については後述する。
【００３２】
第１湾外水位センサ４は、第１湾外海域Ｚ１１の水位を計測する計測器である。第１湾外水位センサ４の配置位置は、図示はしていないが、例えば、挟在陸部Ｐの第１湾外海域Ｚ１１側の側部Ｐ１の任意箇所などに配置される。第１湾外水位センサ４の計測原理としては、例えば、海岸付近の箇所に井戸状の立抗を掘削して建設し、この検潮井戸の底部から横方向（例えば、略水平方向）に導水管を設けて、検潮井戸底部側とは逆となる導水管の開口を第１湾外海域Ｚ１１側に開設し、検潮井戸の水面に浮き部材を浮かべて、浮き部材の鉛直方向位置を測定し、これをもって第１湾外海域Ｚ１１の水位とする方法が知られている。浮き部材の鉛直方向位置の測定には、光センサ等の公知のセンサを利用して計測する方法などが採用可能である。図２に示すように、第１湾外水位センサ４は、第１制御部３Ａに電気的に接続されており、検出された第１湾外海域Ｚ１１の水位値（又は当該水位値に対応する電気量）は、第１制御部３ＡのＣＰＵ（図示せず）へ出力される。
【００３３】
第２湾外水位センサ５は、第２湾外海域Ｚ１２の水位を計測する計測器である。第２湾外水位センサ５の配置位置は、図示はしていないが、例えば、第１水門装置１０の外海側の任意箇所などに配置される。第２湾外水位センサ５の計測原理は、上記した第１湾外水位センサ４の計測原理と同様であるので、その説明は省略する。図２に示すように、第２湾外水位センサ５は、第１制御部３Ａに電気的に接続されており、検出された第２湾外海域Ｚ１２の水位値（又は当該水位値に対応する電気量）は、第１制御部３ＡのＣＰＵ（図示せず）へ出力される。
【００３４】
湾内水位センサ６は、湾内海域Ｚ２０の水位を計測する計測器である。湾内水位センサ６の配置位置は、図示はしていないが、例えば、第１水門装置１０の湾内側の任意箇所などに配置される。湾内水位センサ６の計測原理は、上記した第１湾外水位センサ４の計測原理と同様であるので、その説明は省略する。図２に示すように、湾内水位センサ６は、第１制御部３Ａに電気的に接続されており、検出された湾内海域Ｚ２０の水位値（又は当該水位値に対応する電気量）は、第１制御部３ＡのＣＰＵ（図示せず）へ出力される。
【００３５】
次に、図１ないし図４を参照しつつ、本発明の第１実施例である潮汐利用型湾内海域海水交換システムを用いた海水交換方法の具体的手順を説明する。
【００３６】
まず、図４（Ａ）に示すように、第１湾外水位センサ４から送られてくる第１湾外海域Ｚ１１の水位が、上げ潮により上昇している場合（後述するように、この場合には、湾内海域Ｚ２０の水位は、その時点の干潮水位と略等しくなっている。）には、第１制御部３ＡのＣＰＵ（図示せず）は、トンネル開閉機構２のトンネル開閉駆動源（図示せず）に制御信号を送って駆動させ、トンネル開閉機構２を開放させてトンネル開放状態にする。この際、第１制御部３ＡのＣＰＵ（図示せず）は、同時に、第１水門装置１０の第１水門駆動源に制御信号を送って駆動させ、第１ゲート部材１１を降下させ海底Ｂ１２又は海底Ｂ２０（図１（Ｂ）参照）に着底させておく。
【００３７】
上記の制御は、特許請求の範囲における第１の制御に相当している。このような第１の制御を行うことにより、第１湾外海域Ｚ１１の海水Ｗは、開放された導水トンネル１内を通って湾内海域Ｚ２０へ流入する。また、第１ゲート部材１１が降下しており、海水移動を遮断しているので、第２湾外海域Ｚ１２の海水が湾内海域Ｚ２０へ流入したり、湾内海域Ｚ２０の海水が第２湾外海域Ｚ１２へ流出することはない。
【００３８】
上記の第１の制御の後の適宜の時点、第１湾外海域Ｚ１２と、湾内海域Ｚ２０と、第２湾外海域Ｚ１２の水位が、その時点の満潮水位と略等しくなった場合には、第１制御部３ＡのＣＰＵ（図示せず）は、トンネル開閉機構２のトンネル開閉駆動源（図示せず）に制御信号を送って逆方向に駆動させ、トンネル開閉機構２を閉塞させてトンネル閉塞状態にする。この際、第１制御部３ＡのＣＰＵ（図示せず）は、第１水門装置１０の第１水門駆動源には、制御信号を送って停止させ、第１ゲート部材１１が降下して海底Ｂ１２又は海底Ｂ２０（図１（Ｂ）参照）に着底した状態を維持させておく。第１の制御の後の適宜の時点、すなわち、「トンネル開閉機構２を閉塞させるとともに第１ゲート部材１１を降下させる時点」は、略満潮時に限定されず、他の時点でもよい。
【００３９】
上記の制御は、特許請求の範囲における第２の制御に相当している。このような第２の制御を行うことにより、湾内海域Ｚ２０の海水は、導水トンネル１内を通って第１湾外海域Ｚ１１へ逆流することはない。また、第１ゲート部材１１は依然として降下しており、海水移動を遮断しているので、湾内海域Ｚ２０の海水が第２湾外海域Ｚ１２へ流出することもない。
【００４０】
次に、上記の第２の制御の後に、図４（Ｂ）に示すように、第２湾外水位センサ５から送られてくる第２湾外海域Ｚ１２の水位が、下げ潮により湾内海域Ｚ２０の水位よりも低くなった場合、例えば、第２湾外海域Ｚ１２の水位がその時点の干潮水位と略等しくなった場合には、第１制御部３ＡのＣＰＵ（図示せず）は、第１水門装置１０の第１水門駆動源に制御信号を送って図１（Ａ）のときとは逆方向に駆動させ、第１ゲート部材１１を上昇させ海底Ｂ１２又は海底Ｂ２０（図１（Ｂ）参照）から離す（図４（Ｃ）参照）。
【００４１】
上記の制御は、特許請求の範囲における第３の制御に相当している。このような第３の制御を行うことにより、湾内海域Ｚ２０の海水Ｗが第２湾外海域Ｚ１２へ排出される。このようにして、第１湾外海域Ｚ１１から湾内海域Ｚ２０へ取り込まれた海水Ｗは、今度は第２湾外海域Ｚ１２へと排出され、海水の流れは一方通行となっている。このため、湾内海域Ｚ２０には、常に新鮮な海水を供給し海水交換を図ることができる。なお、第２湾外海域Ｚ１２の水位が湾内海域Ｚ２０の水位よりも低くなる時点は、第２湾外海域Ｚ１２の略干潮時に限定されず、他の時点でもよい。
【００４２】
本発明の第１実施例である潮汐利用型湾内海域海水交換システム１０１では、トンネル開閉機構２のトンネル開閉駆動源、第１水門装置１０の第１水門駆動源、第１制御部３Ａ、各水位センサ４〜６を稼働させるためのエネルギー（電力、燃料等）は必要である。しかし、第１制御部３Ａ、各水位センサ４〜６を稼働させるための電力は、海水を汲み上げて排出するポンプへのエネルギー（電力、燃料等）に比べれば非常に微少であり、トンネル開閉機構２のトンネル開閉駆動源、第１水門装置１０の第１水門駆動源を稼働させるためのエネルギー（電力、燃料等）は、海水を汲み上げて排出するポンプへのエネルギー（電力、燃料等）に比べれば、小さい。したがって、ランニング・コスト（運転費用）も、本発明の第１実施例である潮汐利用型湾内海域海水交換システム１０１の方が低廉である。このため、経済的に有利である。
【００４３】
また、本発明の第１実施例である潮汐利用型湾内海域海水交換システム１０１における海水交換では、第１湾外海域Ｚ１１から湾内海域Ｚ２０へ取り込まれた海水Ｗは、一方通行で第２湾外海域Ｚ１２に排出されるため、従来のポンプや波力による海水交換方式よりも湾内海水をより清浄化することが可能である。従来のポンプや波力による海水交換では、防波堤等の近傍でかつ近接する箇所で外海側から湾内側への海水取り込みと、湾内海水の外海側への排出を行う方式が多いため、すでに排出した湾内海水が、新たに取り込まれる湾外海水に混入することもあったからである。
【実施例２】
【００４４】
本発明は、上記した第１実施例以外の構成によっても実現可能である。以下、本発明の第２実施例である潮汐利用型湾内海域海水交換システムについて、図面等を参照しながら詳細に説明を行う。
【００４５】
図５は、本発明の第２実施例である潮汐利用型湾内海域海水交換システムの全体配置と構成を示す図であり、図５（Ａ）は上方から見た平面配置構成を示し、図５（Ｂ）は、図５（Ａ）におけるＢ−Ｂ方向に見た断面を示している。る。また、図６は、本発明の第２実施例である潮汐利用型湾内海域海水交換システムの制御に関するシステム構成を示すブロック図である。また、図７は、本発明の第２実施例である潮汐利用型湾内海域海水交換システムを用いた海水交換方法の手順を説明する断面図である。
【００４６】
図５及び図６に示すように、本発明の第２実施例である潮汐利用型湾内海域海水交換システム１０２は、図５（Ａ）の平面図のような略「Ｃ」字状の湾部に設置されるもので、導水トンネル１と、第１水門装置１０と、第２水門装置２０と、第２制御部３Ｂと、第１湾外水位センサ４と、第２湾外水位センサ５と、第１湾内水位センサ７第２湾内水位センサ８を備えて構成されている。ここに、潮汐利用型湾内海域海水交換システム１０２は、特許請求の範囲における潮汐利用型湾内水交換システムに相当し、各湾外海域は、特許請求の範囲における各湾外水域に相当し、各湾内海域は、特許請求の範囲における各湾内水域に相当し、導水トンネル１は、特許請求の範囲における導水路に相当し、第２制御部３Ｂは、特許請求の範囲における第２制御手段に相当し、第１湾外水位センサ４は特許請求の範囲における第１湾外水位計測手段に相当し、第２湾外水位センサ５は特許請求の範囲における第２湾外水位計測手段に相当し、第１湾内水位センサ７は特許請求の範囲における第１湾内水位計測手段に相当し、第２湾内水位センサ８は特許請求の範囲における第２湾内水位計測手段に相当している。
【００４７】
導水トンネル１は、上記の第１湾外海域Ｚ１１と湾内海域（図５（Ａ）における第１湾内海域Ｚ２１と第２湾内海域Ｚ２２を合わせた海域）に挟まれるように存在する略「Ｃ」字状の陸域Ｐ（以下、「挟在陸部」という。図５（Ａ）及び図５（Ｂ）を参照。）に隣接する第１湾外海域Ｚ１１のうち、最低干潮水位Ｌ０（図５（Ｂ）参照）よりも低い高さ位置（以下、「第１高さ位置」という。）の箇所、例えば海底位置Ｂ１１に外海側開口１ｂを有している。また、導水トンネル１は、湾内海域の一部である第１湾内海域Ｚ２１における最低干潮水位Ｌ０よりも低い高さ位置（以下、「第２高さ位置」という。）の箇所、例えば海底位置Ｂ２０に湾内側開口１ｃを有している。また、導水トンネル１は、両開口１ｂ、１ｃの間がトンネルの本抗部１ａとなっており、全体として、最低干潮水位Ｌ０よりも低くなるようにして、挟在陸部Ｐの下方を貫通するように構築されている。
【００４８】
導水トンネル１は、後述するように、第１湾外海域Ｚ１１の海水を、導水トンネル１内を通して第１湾内海域Ｚ２１へ流入させるため、断面寸法もある程度以上の値が必要であり、例えば直径１０メートル程度、取り込む海水量がさらに多ければ、１０メートル以上の大きさとなる。
【００４９】
第２実施例の潮汐利用型湾内海域海水交換システム１０２においては、第１実施例の潮汐利用型湾内海域海水交換システム１０１におけるトンネル開閉機構を有しない。
【００５０】
第１水門装置１０は、湾外海域のうちの第２湾外海域Ｚ１２と、第１湾内海域Ｚ２１に隣接する湾内海域である第２湾内海域Ｚ２２との境界箇所に設置される水門装置である。第１水門装置１０は、鋼材又はコンクリート等からなる略板状の部材である第１ゲート部材１１と、電動モータ又は油圧シリンダ・ピストン機構などの公知の駆動源（図示せず。以下、「第１水門駆動源」という。）と、この第１水門駆動源により駆動され第１ゲート部材１１に取り付けられて支持するチェーン又はアーム若しくはリンク機構等の公知の作用機構（図示せず）と、第１ゲート部材１１の略水平方向の両端部を溝等によって保持して鉛直上下方向に確実に昇降させる２つのガイド部１２（図５（Ａ）参照）を有している。
【００５１】
このような構成により、第１水門装置１０は、第１ゲート部材１１を昇降させることにより、第２湾外海域Ｚ１２と第２湾内海域Ｚ２２の間で海水が移動可能な状態（以下、「第１水門開放状態」という。）と、第２湾外海域Ｚ１２と第２湾内海域Ｚ２２の間で海水が移動不可能な状態（以下、「第１水門閉塞状態」という。）に切り換えることができる。
【００５２】
第２水門装置２０は、第１湾内海域Ｚ２１と、第２湾内海域Ｚ２２との境界箇所に設置される水門装置である。第２水門装置２０は、鋼材又はコンクリート等からなる略板状の部材である第２ゲート部材２１と、電動モータ又は油圧シリンダ・ピストン機構などの公知の駆動源（図示せず。以下、「第２水門駆動源」という。）と、この第２水門駆動源により駆動され第２ゲート部材２１に取り付けられて支持するチェーン又はアーム若しくはリンク機構等の公知の作用機構（図示せず）と、第２ゲート部材２１の略水平方向の両端部を溝等によって保持して鉛直上下方向に確実に昇降させる２つのガイド部２２（図５（Ａ）参照）と、仕切壁２３を有している。仕切壁２３は、挟在陸部Ｐの湾内側の２つの箇所と各ガイド部２２をそれぞれ連絡して湾内海域を仕切り、その内側を第１湾内海域Ｚ２１とする構造物である。
【００５３】
このような構成により、第２水門装置２０は、第２ゲート部材２１を昇降させることにより、第１湾内海域Ｚ２１と第２湾内海域Ｚ２２の間で海水が移動可能な状態（以下、「第２水門開放状態」という。）と、第１湾内海域Ｚ２１と第２湾内海域Ｚ２２の間で海水が移動不可能な状態（以下、「第２水門閉塞状態」という。）に切り換えることができる。
【００５４】
第２制御部３Ｂは、コンピュータ（電子計算機）、例えば、パーソナル・コンピュータ、ワーク・ステーション、マイクロコンピュータ等により構成されている。第２制御部３Ｂを構成するコンピュータのハードウェアは、上記した第１制御部３Ａと同様である。しかし、コンピュータ内のＲＯＭ（図示せず）に格納されているコンピュータのソフトウェア、例えば、ＣＰＵの制御プログラム、、ＣＰＵが用いる各種データ等は、異なっている。
【００５５】
図６に示すように、第２制御部３Ｂには、上記した第１水門装置１０と第２水門装置２０が電気的に接続されており、第２制御部３ＢのＣＰＵ（図示せず）からの制御信号（図示せず）によって制御される。これらの制御の内容については後述する。
【００５６】
第１湾外水位センサ４及び第２湾外水位センサ５の構成及び作用は、第１実施例の場合と同様であるので、その説明は省略する。
【００５７】
第１湾内水位センサ７は、第１湾内海域Ｚ２１の水位を計測する計測器である。第１湾内水位センサ７の配置位置は、図示はしていないが、例えば、挟在陸部Ｐの第１湾内海域Ｚ２１側の側部Ｐ２（図５（Ｂ）参照）の任意箇所などに配置される。第１湾内水位センサ７の計測原理は、上記した第１実施例における第１湾外水位センサ４の計測原理と同様であるので、その説明は省略する。図６に示すように、第１湾内水位センサ７は、第２制御部３Ｂに電気的に接続されており、検出された第１湾内海域Ｚ２１の水位値（又は当該水位値に対応する電気量）は、第２制御部３ＢのＣＰＵ（図示せず）へ出力される。
【００５８】
第２湾内水位センサ８は、第２湾内海域Ｚ２２の水位を計測する計測器である。第２湾内水位センサ８の配置位置は、図示はしていないが、例えば、第１水門装置１０の湾内側の任意箇所などに配置される。第２湾内水位センサ８の計測原理は、上記した第１実施例における第１湾外水位センサ４の計測原理と同様であるので、その説明は省略する。図６に示すように、第２湾内水位センサ８は、第２制御部３Ｂに電気的に接続されており、検出された第２湾内海域Ｚ２２の水位値（又は当該水位値に対応する電気量）は、第２制御部３ＢのＣＰＵ（図示せず）へ出力される。
【００５９】
次に、図５ないし図７を参照しつつ、本発明の第２実施例である潮汐利用型湾内海域海水交換システムを用いた海水交換方法の具体的手順を説明する。
【００６０】
まず、図７（Ａ）に示すように、第１湾外水位センサ４から送られてくる第１湾外海域Ｚ１１の水位が上げ潮により上昇している場合（後述するように、この場合には、第２湾内海域Ｚ２２の水位は、その時点の干潮水位と略等しくなっている。）には、第２制御部３ＢのＣＰＵ（図示せず）は、第２水門装置２０の第２水門駆動源（図示せず）に制御信号を送って駆動させ、第２ゲート部材２１を上昇させて第２水門開放状態にする。この際、第２制御部３ＢのＣＰＵ（図示せず）は、同時に、第１水門装置１０の第１水門駆動源に制御信号を送って駆動させ、第１ゲート部材１１を降下させ海底Ｂ１２又は海底Ｂ２０（図１（Ｂ）参照）に着底させておく。
【００６１】
上記の制御は、特許請求の範囲における第４の制御に相当している。このような第４の制御を行うことにより、第１湾外海域Ｚ１１の海水Ｗは、当初から開放されている導水トンネル１内を通って湾内海域Ｚ２０へ流入している。この場合、第２ゲート部材２１が上昇しているので、第１湾内海域Ｚ２１の海水Ｗは第２湾内海域Ｚ２２へ流入する。また、このときには、第１ゲート部材１１が降下しており、海水移動を遮断しているので、第２湾外海域Ｚ１２の海水が第２湾内海域Ｚ２２へ流入したり、第２湾内海域Ｚ２２の海水が第２湾外海域Ｚ１２へ流出することはない。
【００６２】
図７（Ｂ）は、上記の第４の制御の後の適宜の時点、例えば、第１湾外海域Ｚ１２と、第１湾内海域Ｚ２１と、第２湾内海域Ｚ２２と、第２湾外海域Ｚ１２の水位が、その時点の満潮水位と略等しくなった場合を示したものである。この場合には、第２制御部３ＢのＣＰＵ（図示せず）は、第２水門装置２０の第２水門駆動源に制御信号を送って駆動させ、第２ゲート部材２１を降下させ海底Ｂ２１又は海底Ｂ２２（図５（Ｂ）参照）に着底させる。上記の制御は、特許請求の範囲における第５の制御に相当している。第４の制御の後の適宜の時点、すなわち、「第１ゲート部材１１の降下状態を維持しつつ第２ゲート部材２１を降下させる時点」は、第１湾外海域Ｚ１２と第１湾内海域Ｚ２１と第２湾内海域Ｚ２２と第２湾外海域Ｚ１２の略満潮時に限定されず、他の時点でもよい。
【００６３】
上記の第５の制御の後に、図７（Ｃ）に示すように、第２湾外水位センサ５から送られてくる第２湾外海域Ｚ１２の水位が、下げ潮により第２湾内海域Ｚ２２の水位よりも低くなった場合、例えば、第２湾外海域Ｚ１２の水位がその時点の干潮水位と略等しくなった場合には、第２制御部３ＢのＣＰＵ（図示せず）は、第１水門装置１０の第１水門駆動源（図示せず）に制御信号を送って駆動させ、第１ゲート部材１１を上昇させて第１水門開放状態にする（図７（Ｄ）参照）。
【００６４】
上記の制御は、特許請求の範囲における第６の制御に相当している。このような第６の制御を行うことにより、第２湾内海域Ｚ２２の海水Ｗが、第２湾外海域Ｚ１２へ排出される。このようにして、第１湾外海域Ｚ１１から第１湾内海域Ｚ２１を経て第２湾内海域Ｚ２２へ取り込まれた海水Ｗは、今度は第２湾外海域Ｚ１２へと排出され、海水の流れは一方通行となっている。このため、第２湾内海域Ｚ２２に常に新鮮な海水を供給し海水交換を図ることができる。なお、第２湾外海域Ｚ１２の水位が第２湾内海域Ｚ２２の水位よりも低くなる時点は、第２湾外海域Ｚ１２の略干潮時に限定されず、他の時点でもよい。
【００６５】
本発明の第２実施例である潮汐利用型湾内海域海水交換システム１０２では、第１水門装置１０の第１水門駆動源、第２水門装置２０の第１水門駆動源、第２制御部３Ｂ、各水位センサ４、５、７、８を稼働させるためのエネルギー（電力、燃料等）は必要である。しかし、第２制御部３Ｂ、各水位センサ４〜８を稼働させるための電力は、海水を汲み上げて排出するポンプへのエネルギー（電力、燃料等）に比べれば非常に微少であり、第１水門装置１０の第１水門駆動源、第２水門装置２０の第２水門駆動源を稼働させるためのエネルギー（電力、燃料等）は、海水を汲み上げて排出するポンプへのエネルギー（電力、燃料等）に比べれば、小さい。したがって、ランニング・コスト（運転費用）も、本発明の第２実施例である潮汐利用型湾内海域海水交換システム１０２の方が低廉である。このため、経済的に有利である。
【００６６】
また、本発明の第２実施例である潮汐利用型湾内海域海水交換システム１０２における海水交換では、第１湾外海域Ｚ１１から第２湾内海域Ｚ２２へ取り込まれた海水Ｗは、一方通行で第２湾外海域Ｚ１２に排出されるため、従来のポンプや波力による海水交換方式よりも湾内海水をより清浄化することが可能である。従来のポンプや波力による海水交換では、防波堤等の近傍でかつ近接する箇所で外海側から湾内側への海水取り込みと、湾内海水の外海側への排出を行う方式が多いため、すでに排出した湾内海水が、新たに取り込まれる湾外海水に混入することもあったからである。
【００６７】
なお、図７（Ｃ）に示す状態では、第１湾内海域Ｚ２１の海水が、導水トンネル１を通って第１湾外海域Ｚ１１に逆流する場合もあるが、仕切壁２３で仕切られる第１湾内海域Ｚ２１を湾内のごく一部に限れば、逆流の影響を最小限におさえることができる。
【００６８】
なお、本発明は、上記各実施例に限定されるものではない。上記各実施例は、例示であり、本発明の特許請求の範囲に記載された技術的思想と実質的に同一な構成を有し、同様な作用効果を奏するものは、いかなるものであっても本発明の技術的範囲に包含される。
【００６９】
例えば、上記した各実施例においては、導水トンネル（例えば、上記各実施例における符号１）を例に挙げて説明したが、本発明は、この構成には限定されず、他の構成であってもよい。例えば、第２実施例において、導水トンネル（第２実施例における符号１）のかわりに、挟在陸部（第２実施例における符号Ｐ）の任意の箇所に、挟在陸部（第２実施例における符号Ｐ）の両側の第１湾外海域（第２実施例における符号Ｚ１１）と第１湾内海域（第２実施例における符号Ｚ２１）を連絡する開水路（図示せず）を建設し、この開水路を、導水トンネル（第２実施例における符号１）のかわりに利用するようにしてもよい。開水路の底面位置は、海底（第２実施例における符号Ｂ１１又はＢ２１）の位置まで掘り下げなくてもよく、例えば、最低干潮水位（第２実施例における符号Ｌ０）よりも低い位置であれば、開水路の底面位置をどのような高さ位置に設定してもよい。第２実施例の場合には、一般に、導水トンネルと開水路を包含する手段として、導水路を用いるようにすることができる。
【００７０】
また、上記各実施例においては、導水トンネル１の両開口１ｂ、１ｃが海底位置にあり、本抗部１ａが挟在陸部Ｐの下方を貫通する例について説明したが、本発明は、この構成には限定されず、他の構成であってもよい。例えば、挟在陸部Ｐの第１湾外海域Ｚ１１側の側部Ｐ１でかつ最低干潮水位Ｌ０よりも低い高さ位置を第１高さ位置として外海側開口を開設し、挟在陸部Ｐの湾内海域Ｚ２０側の側部Ｐ２でかつ最低干潮水位Ｌ０よりも低い高さ位置を第２高さ位置として湾内側開口を開設し、その間に、ほぼ水平、又は外海側開口１ｂから湾内側開口１ｃに向かうにつれて下降する下り勾配の本抗部を構築するようにしてもよい。
【００７１】
また、上記した第１実施例においては、導水トンネル１は、第１湾外海域Ｚ１１のうち、最低干潮水位Ｌ０（図１（Ｂ）参照）よりも低い高さ位置である第１高さ位置の箇所に外海側開口１ｂを有するとともに、湾内海域Ｚ２０における最低干潮水位Ｌ０よりも低い高さ位置である第２高さ位置の箇所に湾内側開口１ｃを有し、導水トンネル１は、両開口１ｂ、１ｃの間がトンネルの本抗部１ａとなっており、全体として、最低干潮水位Ｌ０よりも低くなるように構築されているという例について説明したが、本発明は、この構成には限定されず、他の構成であってもよい。例えば、第１実施例における導水トンネルは、本坑部、両端開口とも、最低干潮水位Ｌ０よりも高い高さ位置となるように構築してもよい。この場合には、潮汐により水面が導水トンネルの高さ位置よりも低くなると、導水トンネルには水が入らなくなるが、一定の海水交換効果は有している。なお、導水トンネルは、本坑部、両端開口とも、最高満潮水位（図示せず）よりも高い高さ位置となるように構築すると、水が導水トンネルに入る場合が無くなるので、好ましくない。
【００７２】
また、上記した第２実施例においては、導水トンネル１は、第１湾外海域Ｚ１１のうち、最低干潮水位Ｌ０（図１（Ｂ）参照）よりも低い高さ位置である第１高さ位置の箇所に外海側開口１ｂを有するとともに、湾内海域の一部である第１湾内海域Ｚ２１における最低干潮水位Ｌ０よりも低い高さ位置である第２高さ位置の箇所に湾内側開口１ｃを有し、導水トンネル１は、両開口１ｂ、１ｃの間がトンネルの本抗部１ａとなっており、全体として、最低干潮水位Ｌ０よりも低くなるように構築されているという例について説明したが、本発明は、この構成には限定されず、他の構成であってもよい。例えば、第２実施例における導水トンネルは、本坑部、両端開口とも、最低干潮水位Ｌ０よりも高い高さ位置となるように構築してもよい。この場合には、潮汐により水面が導水トンネルの高さ位置よりも低くなると、導水トンネルには水が入らなくなるが、一定の海水交換効果は有している。なお、導水トンネルは、本坑部、両端開口とも、最高満潮水位（図示せず）よりも高い高さ位置となるように構築すると、水が導水トンネルに入る場合が無くなるので、好ましくない。また、第２実施例の場合で、導水トンネルのかわりに開水路を設ける例の場合も同様であって、開水路の底面は、最低干潮水位Ｌ０よりも高い高さ位置となるように構築してもよい。この場合には、潮汐により水面が開水路底面の高さ位置よりも低くなると、開水路には水が入らなくなるが、一定の海水交換効果は有している。なお、開水路の底面が、最高満潮水位（図示せず）よりも高い高さ位置となるように構築すると、水が開水路に入る場合が無くなるので、好ましくない。
【００７３】
また、上記した第１実施例においては、トンネル開閉機構２が、導水トンネル１の湾内側開口１ｃに設けられる例について説明したが、本発明は、この構成には限定されず、他の構成であってもよい。例えば、トンネル開閉機構２は、導水トンネル１の外海側開口１ｂに設けられてもよい。また、トンネル開閉機構２は、導水トンネル１の本抗部１ａの任意の位置に設けられてもよい。
【００７４】
また、上記した第１実施例及び第２実施例においては、各水位センサ４又は５又は６又は７又は８の出力を監視し、トンネル開閉機構２又は第１水門装置１０又は第２水門装置２０を制御することを、コンピュータで構成される第１制御部又は第２制御部が行う例について説明したが、本発明は、この構成には限定されず、他の構成であってもよい。例えば、各水位センサ４又は５又は６又は７又は８の出力を監視し、トンネル開閉機構２又は第１水門装置１０又は第２水門装置２０を制御することを、人間である管理者（オペレータ）が行うようにしてもよい。
【００７５】
また、上記した第１実施例及び第２実施例においては、潮汐利用型湾内海域海水交換システムが配置される湾部は、その平面形状が略「Ｃ」字状の湾部であったが、本発明は、このような形状の湾部には限定されず、他の形状の湾部にも適用可能である。例えば、図８（Ａ）に示すような、細長い直線状の挟在陸部ＰＡの背後の細長い湾内海域Ｚ２０Ａと挟在陸部ＰＡの外部の第１湾外海域Ｚ１１Ａの間に設けられる導水トンネル１Ａと、導水トンネル１Ａのいずれかの箇所に設けられるトンネル開閉機構２Ａと、湾口海域Ｚ３０Ａにおいて湾内海域Ｚ２０Ａと第２湾外海域Ｚ１２Ａとの間に設けられ第１ゲート部材１１Ａを有する第１水門装置１０Ａと、第１制御部（図示せず）と、第１湾外水位センサ（図示せず）と、第２湾外水位センサ（図示せず）と、湾内水位センサ（図示せず）を備えるようにして本発明の第３実施例である潮汐利用型湾内海域海水交換システム１０３を構成し、第１実施例と同様の制御を行い、第１実施例と同様の作用を発揮するようにしてもよい。また、図８（Ａ）の構成要素のうち、トンネル開閉機構２Ａの位置に、トンネル開閉機構２Ａのかわりに第２水門装置（図示せず）を設けるとともに、湾内水位センサのかわりに第１湾内水位センサ（図示せず）及び第２湾内水位センサ（図示せず）を設け、第２実施例と同様の制御を行い、第２実施例と同様の作用を発揮するように構成してもよい。
【００７６】
あるいは、図８（Ｂ）に示すような、直線状の海岸線の一部が単純に凹んだ形状の湾部に、本発明の第４実施例である潮汐利用型湾内海域海水交換システム１０４を配置してもよい。すなわち、図８（Ａ）に示すように、凹部状の湾内海域Ｚ２０Ｂと略三角形状の挟在陸部ＰＢの外部の第１湾外海域Ｚ１１Ｂの間に設けられる導水トンネル１Ｂと、導水トンネル１Ｂのいずれかの箇所に設けられるトンネル開閉機構２Ｂと、湾口海域Ｚ３０Ｂにおいて湾内海域Ｚ２０Ｂと第２湾外海域Ｚ１２Ｂとの間に設けられ第１ゲート部材１１Ｂを有する第１水門装置１０Ｂと、第１制御部（図示せず）と、第１湾外水位センサ（図示せず）と、第２湾外水位センサ（図示せず）と、湾内水位センサ（図示せず）を備えるようにして本発明の第４実施例である潮汐利用型湾内海域海水交換システム１０４を構成し、第１実施例と同様の制御を行い、第１実施例と同様の作用を発揮するようにしてもよい。また、図８（Ｂ）の構成要素のうち、トンネル開閉機構２Ｂの位置に、トンネル開閉機構２Ｂのかわりに第２水門装置（図示せず）を設けるとともに、湾内水位センサのかわりに第１湾内水位センサ（図示せず）及び第２湾内水位センサ（図示せず）を設け、第２実施例と同様の制御を行い、第２実施例と同様の作用を発揮するように構成してもよい。
【００７７】
また、上記した第１実施例の構成をそのまま用いて、第２湾外海域（例えば図１における符号Ｚ１２）の海水を、第１水門装置（例えば図１における符号１０）から湾内海域（例えば図１における符号Ｚ２０）に流入させ、その後、トンネル開閉機構（例えば図１における符号２）から導水トンネル（例えば図１における符号１）を通して第１湾外海域（例えば図１における符号Ｚ１１）に流出させる、という作用を実行することが可能である。その例としては、システム構成としては図示はしていないが、第３制御手段（図示せず。例えば第１制御部３Ａ又は第２制御部３Ｂとハードウェアが同一でＣＰＵの制御プログラムが異なるコンピュータなど。）が、第２湾外水位計測手段（例えば第２湾外水位センサ５）から送られてくる第２湾外海域（例えば図１における符号Ｚ１２）の水位が上げ潮により上昇している場合には、第２湾外海域の海水を第１水門装置（例えば図１における符号１０）から湾内海域（例えば図１における符号Ｚ２０）へ流入させるように第１水門装置（例えば図１における符号１０）の第１ゲート部材（例えば図１における符号１１）を上昇させるとともにトンネル開閉機構（例えば図１における符号２）を閉塞させる第７の制御を行い、第７の制御の後の適宜の時点でいったん第１水門装置（例えば図１における符号１０）の第１ゲート部材（例えば図１における符号１１）を降下させる第８の制御を行い、第８の制御の後に第１湾外水位計測手段（例えば第１湾外水位センサ４）から送られてくる第１湾外海域（例えば図１における符号Ｚ１１）の水位が下げ潮により湾内海域（例えば図１における符号Ｚ１２）の水位よりも低くなった場合には、湾内海域（例えば図１における符号Ｚ１２）の海水が第１湾外海域（例えば図１における符号Ｚ１１）へ排出されるようにトンネル開閉機構（例えば図１における符号２）を開放させる第９の制御を行うように制御する構成とすればよい。
【００７８】
また、上記した第２実施例の構成をそのまま用いて、第２湾外海域（例えば図２における符号Ｚ１２）の海水を、第１水門装置（例えば図２における符号１０）から第２湾内海域（例えば図２における符号Ｚ２２）に流入させ、その後、第２水門装置（例えば図２における符号２０）から導水トンネル（例えば図２における符号１）を通して第１湾外海域（例えば図１における符号Ｚ１１）に流出させる、という作用を実行することが可能である。その例としては、システム構成としては図示はしていないが、第４制御手段（図示せず。例えば第１制御部３Ａ又は第２制御部３Ｂとハードウェアが同一でＣＰＵの制御プログラムが異なるコンピュータなど。）が、第２湾外水位計測手段（例えば第２湾外水位センサ５）から送られてくる第２湾外海域（例えば図２における符号Ｚ１２）の水位が上げ潮により上昇している場合には、第２湾外海域の海水を第１水門装置（例えば図２における符号１０）から第２湾内海域（例えば図２における符号Ｚ２２）へ流入させるように第１水門装置（例えば図２における符号１０）の第１ゲート部材（例えば図２における符号１１）を上昇させるとともに第２水門装置（例えば図２における符号２０）の第２ゲート部材（例えば図２における符号２１）を降下させる第１０の制御を行い、第１０の制御の後の適宜の時点でいったん第１水門装置（例えば図１における符号１０）の第１ゲート部材（例えば図１における符号１１）を降下させる第１１の制御を行い、 第１１の制御の後に第１湾外水位計測手段（例えば第１湾外水位センサ４）から送られてくる第１湾外海域（例えば図２における符号Ｚ１１）の水位が下げ潮により第２湾内海域（例えば図２における符号Ｚ２２）の水位よりも低くなった場合には、第２湾内海域（例えば図２における符号Ｚ２２）の海水が第１湾外海域（例えば図２における符号Ｚ１１）へ排出されるように第２水門装置（例えば図２における符号２０）の第２ゲート部材（例えば図２における符号２１）を上昇させる第１２の制御を行うように制御する構成とすればよい。この場合、導水トンネル（例えば図２における符号１）のかわりに開水路（図示せず）を用いてもよく、一般には、導水路を用いることができる。
【００７９】
また、図８（Ａ）に示すような地形条件では、第１水門装置１０Ａだけでなく、水門装置の個数を２以上に増やすことにより、湾内海水浄化機能をさらに向上させることができる。また、図８（Ａ）に示すような地形条件で、かつ第２実施例のような複数の水門装置の組み合わせにより湾内海水の浄化を行う場合には、さらに第３水門装置（図示せず。第１水門装置や第２水門装置と同様の構成を有する。）を設けて、湾内海域を第１湾内海域と第２湾内海域と第３湾内海域に分割し、順番に海水を流入させ、最後に湾外に排出するように構成してもよい。
【００８０】
また、本発明は、海域が陸域に入り込んだ箇所である湾部の内部の海域（湾内海域）以外の箇所にも適用可能である。例えば、浜名湖のように、海に近接し海と連通する湖の場合にも、本発明は適用可能である。このような海に近接し海と連通する湖の場合は、水域が陸域に入り込んだ湾状の領域となっており、その陸域に取り囲まれた水域の水は、汽水（真水に海水が混入した水）となっている。このため、海域に近接し海域と連通する湖域を、水域が陸域に入り込んだ箇所である湾部の内部の水域（湾内水域）と定義することにより、本発明を、海域に近接し海域と連通する湖域にも適用することができる。この場合、流出入させる対象は、海水と汽水を含む「水」となる。
【００８１】
また、本発明は、湾内等の「干潟」の面積を確保する、という目的に対しても、若干の制御の変更によって効果的に応用することができる。上記した第１実施例の潮汐利用型湾内海域海水交換システム等においては、例えば、第２湾外水域の水位が下げ潮により湾内水域の水位よりも低くなった場合に第１水門装置の第１ゲート部材を上昇させる。この方法は、湾内水域の水質浄化の観点からは最も効率の高い方法であるが、第２湾外水域における上げ潮が終わったあとで第１水門装置の第１ゲート部材を上昇させるから、湾内水域の水位は「満潮水位」まで上がることはなく、湾内水域の潮位差は、第２湾外水域の潮位差に比べ、小さくなる。一般に、干潟の面積とは、満潮時に水没しかつ干潮時に干上がる部分の面積をいう。このため、潮位差が少なくなると、干潟の面積が減少することにつながり、この干潟が生物学的又は環境学的に貴重なものである場合には、干潟面積の減少は好ましくない。したがって、干潟面積の減少を防止することも考慮して本発明の水門制御を行うことが必要となる。このような方法としては、例えば、「湾内水域の潮位差を第２湾外水域の潮位差と等しくする必要があるときには、第２湾外水域の水位が下げ潮時に湾内水域の水位より低くなるのを待たず、上げ潮が終わる前に第１水門装置の第１ゲート部材を上昇させる」という方法（以下、「干潟面積確保式水門制御方法」という。）がある。このようにすれば、湾内水域の水位は満潮水位まで上がり、湾内水域の潮位差も第２湾外水域と同じ潮位を確保することができる。この干潟面積確保式水門制御方法は、第２湾外水域から水を湾内水域に戻すことになるので、湾内水域の水質浄化の効率はやや低下するものの、湾内水域の潮位差としては、第１水門装置を設置する以前の時点と同じ潮位差を確保できるため、干潟の面積は以前の面積と同じで変化はなく、干潟が生物学的又は環境学的に重要視されるもので保護すべきものである場合には、有効な方法である、と考えられる。
【産業上の利用可能性】
【００８２】
本発明は、湾内水域において漁業等を行う第一次産業、湾内水域において各種物品の製造等を行う第二次産業、湾内水域を利用して観光事業等を行う第三次産業、港湾等の新設工事・補修作業等を行う土木・建設業等で実施可能であり、これらの産業で利用可能である。また、本発明は、湾内水域と湾外水域との潮位差を利用して発電を行う潮位差発電事業で実施可能であり、潮位差発電事業で利用可能である。
【図面の簡単な説明】
【００８３】
【図１】本発明の第１実施例である潮汐利用型湾内海域海水交換システムの全体配置と構成を示す図である。
【図２】本発明の第１実施例である潮汐利用型湾内海域海水交換システムの制御に関するシステム構成を示すブロック図である。
【図３】本発明の第１実施例である潮汐利用型湾内海域海水交換システムにおけるトンネル開閉機構の一例の構成を示す断面図である。
【図４】本発明の第１実施例である潮汐利用型湾内海域海水交換システムを用いた海水交換方法の手順を説明する図である。
【図５】本発明の第２実施例である潮汐利用型湾内海域海水交換システムの全体配置と構成を示す図である。
【図６】本発明の第２実施例である潮汐利用型湾内海域海水交換システムの制御に関するシステム構成を示すブロック図である。
【図７】本発明の第２実施例である潮汐利用型湾内海域海水交換システムを用いた海水交換方法の手順を説明する図である。
【図８】本発明の他の実施例である潮汐利用型湾内海域海水交換システムの全体配置と構成を示す図である。
【符号の説明】
【００８４】
１〜１Ｂ  導水トンネル
１ａ〜１ａＢ  本坑部
１ｂ〜１ｂＢ  外海側開口
１ｃ〜１ｃＢ  湾内側開口
２〜２Ｂ  トンネル開閉機構
２ａ  小径パイプ
２ｂ  開閉弁
２ｃ  弁駆動部
２ｅ、２ｆ  開口
３Ａ  第１制御部
３Ｂ  第２制御部
４  第１湾外水位センサ
５  第２湾外水位センサ
６  湾内水位センサ
７  第１湾内水位センサ
８  第２湾内水位センサ
１０〜１０Ｂ  第１水門装置
１１〜１０Ｂ  第１ゲート部材
１２〜１２Ｂ  ガイド部
２０  第２水門装置
２１  第２ゲート部材
２２  ガイド部
２３  仕切壁
１０１〜１０４  潮汐利用型湾内海域海水交換システム
Ｂ１１〜Ｂ２２  海底
Ｌ０  最低干潮水位
Ｐ、ＰA、ＰB  挟在陸部
Ｐ１、Ｐ２  側部
Ｗ  海水
Ｚ１１〜Ｚ１１Ｂ  第１湾外海域
Ｚ１２〜Ｚ１２Ｂ  第２湾外海域
Ｚ２０〜Ｚ２０Ｂ  湾内海域
Ｚ２１  第１湾内海域
Ｚ２２  第２湾内海域
Ｚ３０〜Ｚ３０Ｂ  湾口海域
【図１】
2006274702.tif 000003
【図２】
2006274702.tif 000004
【図３】
2006274702.tif 000005
【図４】
2006274702.tif 000006
【図５】
2006274702.tif 000007
【図６】
2006274702.tif 000008
【図７】
2006274702.tif 000009
【図８】
2006274702.tif 000010